(57)【特許請求の範囲】
【請求項１】
ディジタルビデオ信号中の疑似同期及びＡＧＣパルスコピー防止信号とカラーバースト信号の直流レベルを異ならせて分割したクロマコピー防止信号の影響をディジタル的に除去または減少させる方法であって、前記コピー防止信号は前記ディジタルビデオ信号を見ることはできるが、ディジタル・アナログ変換後には前記ディジタルビデオ信号の満足できるアナログビデオ記録を禁止する方法であり、前記方法は、
前記コピー防止信号がある前記ディジタルビデオ信号のビデオラインを示すディジタル制御信号をディジタル的に発生する段階と、
前記コピー防止信号がある前記ディジタルビデオ信号の前記ビデオラインの少なくとも一部において前記コピー防止信号をディジタル的に変更する段階であって、その変更によりディジタル・アナログ変換後に前記ディジタルビデオ信号の満足できるビデオ記録ができる段階とを有する方法。
【請求項２】
前記変更する段階は、さらに
前記ビデオ信号がディジタル領域にある間に前記ディジタルビデオ信号の垂直帰線消去領域にある所定数のビデオラインを見つける段階と、
コピー防止信号があるビデオラインを示す前記ディジタル制御信号を出力する段階と、
満足できるビデオ記録を可能とするのに必要な十分な数のビデオラインをディジタル的に変更する段階と
を有する、請求項１に記載の方法。
【請求項３】
ディジタル的に変更する段階は、さらに
前記コピー防止信号の置換として所望される状態を表すディジタル置換信号をディジタル的に供給する段階と、
前記コピー防止信号を前記ディジタル置換信号でディジタル的に置換する段階とを含む、請求項１に記載の方法。
【請求項４】
前記変更する段階は、
マルチプレクサ回路の第１の信号入力にディジタルビデオ信号を入力する段階と、
前記マルチプレクサ回路の第２の信号入力に前記ディジタル置換信号に対応するディジタル数を入力する段階と、
前記マルチプレクサ回路の制御入力に前記ディジタル制御信号を入力する段階とを有する、請求項３記載の方法。
【請求項５】
前記カラーバースト信号の直流レベルを異ならせて分割したクロマコピー防止信号は、位相エラーを含む部分を有し、前記ディジタル的に変更する段階は前記カラーバースト信号の直流レベルを異ならせて分割したクロマコピー防止信号の前記部分をディジタル的に変更または正しいカラー位相で置換する段階を含む、請求項１に記載の方法。
【請求項６】
前記変更する段階は、
前記ディジタルビデオ信号内の前記コピー防止信号が存在する間に前記ディジタル制御信号を供給する段階と、
ディジタル・アナログ変換後の前記ビデオ信号の部分の振幅を変更するために前記ディジタルビデオ信号のビットをディジタル的に制御する段階と
を有する請求項１に記載の方法。
【請求項７】
前記ディジタル的に制御する段階は、
ディジタル・アナログ変換後の前記コピー防止信号が存在する間の前記ビデオ信号の振幅を減少させるように、前記ディジタルビデオ信号中のビットを変更する段階を有する、請求項６に記載の方法。
【請求項８】
前記ディジタル的に制御する段階は、
ディジタル・アナログ変換後に、前記ディジタルビデオ信号中の前記コピー防止信号が不在である間の前記ビデオ信号の振幅を増加させるように、前記ディジタルビデオ信号中のビットを変更する段階を有する、請求項６に記載の方法。
【請求項９】
前記変更する段階は、
前記ディジタルビデオ信号に前記コピー防止信号が存在する間に前記ディジタル制御信号を供給する段階と、
前記コピー防止信号の置換として所望される状態を表すディジタル置換信号を供給する段階と、
前記コピー防止信号を前記ディジタル置換信号でディジタル的に置換する段階とを有する、請求項１に記載の方法。
【請求項１０】
前記ディジタル置換信号は前記ディジタルビデオ信号のブランキングレベルを表すディジタル数である、請求項９に記載の方法。
【請求項１１】
ディジタルビデオ信号中のカラーバースト信号の直流レベルを異ならせて分割したクロマコピー防止信号の効果をディジタル的に除去または減少させる方法であって、前記カラーバースト信号の直流レベルを異ならせて分割したクロマコピー防止信号はディジタル・アナログ変換後に前記ディジタルビデオ信号の満足できるアナログビデオ記録を禁止するカラーストライプ処理における変更を含み、前記方法は、
前記ディジタルビデオ信号中の前記カラーバースト信号の直流レベルを異ならせて分割したクロマコピー防止信号の位置を示すディジタル制御信号をディジタル的に発生する段階と、
ディジタル・アナログ変換後の適当な位相を有するカラーバーストで前記カラーバースト信号の直流レベルを異ならせて分割したクロマコピー防止信号の部分をディジタル的に置換する段階と
を有する方法。
【請求項１２】
前記カラーバースト信号の直流レベルを異ならせて分割したクロマコピー防止信号の部分をディジタル的に置換する段階は、ディジタル位相インバータを利用する、請求項１１に記載の方法。
【請求項１３】
前記カラーバースト信号の直流レベルを異ならせて分割したクロマコピー防止信号をディジタル的に見つける段階は、ディジタル同期セパレータを利用する、請求項１１に記載の方法。
【請求項１４】
前記カラーバースト信号の直流レベルを異ならせて分割したクロマコピー防止信号をディジタル的に見つける段階は、
適当なビデオライン位置とディジタルバーストゲート信号をディジタル的に見つける段階を含む、請求項１１に記載の方法。
【請求項１５】
前記カラーバースト信号の直流レベルを異ならせて分割したクロマコピー防止部分をディジタル的に置換する段階は、ディジタルマルチプレクサを利用する、請求項１１に記載の方法。
【請求項１６】
前記カラーバースト信号の直流レベルを異ならせて分割したクロマコピー防止部分をディジタル的に見つける段階はディジタル位相検出器を利用する、請求項１１に記載の方法。
【請求項１７】
ディジタルビデオ信号の所定ライン中の疑似同期及びＡＧＣパルスコピー防止信号とカラーバースト信号の直流レベルを異ならせて分割したクロマコピー防止信号の影響をディジタル的に除去または減少させる装置であって、前記コピー防止信号は前記ディジタルビデオ信号を見ることはできるが、ディジタル・アナログ変換後には前記ディジタルビデオ信号の満足できるアナログビデオ記録を禁止する装置であり、
前記コピー防止信号を含む前記ディジタルビデオ信号を受信するディジタルプロセッサと、
前記所定のライン中の前記コピー防止信号の少なくとも１つが存在することを示す制御信号をディジタル的に発生するタイミング回路と、
ディジタル・アナログ変換後に前記ディジタルビデオ信号の満足できるビデオ記録をさせるように、前記ディジタルビデオ信号の前記所定ライン中の前記制御信号に応答して、前記コピー防止信号をディジタル的に変更するディジタル信号変更回路とを有する装置。
【請求項１８】
コピー防止信号の置換として所望される状態を表すディジタル変更数を発生するディジタル数発生器をさらに有し、
前記ディジタル信号変更回路は前記ディジタル変更数を用いて前記コピー防止信号を変更または置換する、請求項１７に記載の装置。
【請求項１９】
前記ディジタル信号変更回路はディジタルマルチプレクサを含む、請求項１７に記載の装置。
【請求項２０】
前記ディジタル信号変更回路は前記コピー防止信号を破るまたは減少させるディジタルアンチコピー防止（ＡＣＰ）回路を含む、請求項１７に記載の装置。
【請求項２１】
前記ディジタルＡＣＰ回路は、前記ディジタルビデオ信号中の通常の同期パルスに対して前記疑似同期パルスをレベルシフトすることにより、前記コピー防止信号をディジタル的に変更する、請求項２０に記載の装置。
【請求項２２】
前記ディジタルＡＣＰ回路は、前記疑似同期及びＡＧＣパルスの少なくとも１つのパルス幅を狭くすることにより、前記コピー防止信号をディジタル的に変更する、請求項２０に記載の装置。
【請求項２３】
前記ディジタルＡＣＰ回路は、所定の疑似同期パルスを所定レベルの信号で置換することにより、前記コピー防止信号をディジタル的に変更する、請求項２０に記載の装置。
【請求項２４】
前記ディジタルＡＣＰ回路は、前記疑似同期パルスに対して通常の同期パルスの振幅を増大させることにより、前記コピー防止信号をディジタル的に変更する、請求項２０に記載の装置。
【請求項２５】
ディジタルビデオ信号中の位相が不適当な部分を有するカラーバースト信号の直流レベルを異ならせて分割したクロマコピー防止信号の効果をディジタル的に除去または減少させる装置であって、前記カラーバースト信号の直流レベルを異ならせて分割したクロマコピー防止信号は前記ディジタルビデオ信号を見ることは可能とするが、ディジタル・アナログ変換後に前記ビデオ信号の満足できるアナログビデオ記録を禁止し、
適当な位相を有するカラーバーストを用いて前記カラーバースト信号の直流レベルを異ならせて分割したクロマコピー防止信号の前記部分を変更するディジタル信号変更回路であって、前記変更される部分はディジタル・アナログ変換後に前記ビデオ信号の満足できるビデオ記録を可能とするのに少なくとも十分であるディジタル信号変更回路を有する装置。
【請求項２６】
前記ディジタルライン位置回路は、
コンポジット同期信号を発生する、前記カラーストライプバーストコピー防止信号の変更を含む前記ディジタルビデオ入力信号を受信するディジタルコンパレータと、
前記ディジタルコンパレータコンポジット同期信号に応答するカウンタ／コンパレータ／タイミングジェネレータと、
前記カウンタ／コンパレータ／タイミングジェネレータとともにピクセルクロックに応答する第２のカウンタタイミングジェネレータとを有し、
前記第１と第２のカウンタタイミングジェネレータが少なくとも前記コピー防止信号と同時にバーストゲート信号を発生する、請求項２５に記載の装置。
【請求項２７】
前記ディジタル信号変更回路は、
前記カラーバースト信号の直流レベルを異ならせて分割したクロマコピー防止信号を含む前記ディジタルビデオ信号を受信するディジタルマルチプレクサと、
前記ディジタルビデオ信号と前記ディジタルマルチプレクサの第２の入力に結合したディジタル位相シフタと、
バーストゲート信号とコピー防止ライン位置信号に応答する、前記位相シフトされたディジタルビデオが前記ディジタルマルチプレクサの出力に結合される時間を制御する制御信号を前記ディジタルマルチプレクサの第３の入力に供給するＡＮＤゲートとを有する、請求項２５に記載の装置。
【請求項２８】
ディジタルビデオ信号中のカラーバースト信号の直流レベルを異ならせて分割したクロマコピー防止信号と結合された疑似同期及びＡＧＣパルスコピー防止信号の効果をディジタル的に除去または減少させる方法であって、前記結合されたコピー防止信号はディジタル・アナログ変換後に前記ディジタルビデオ信号の満足できるアナログビデオ記録を禁止する方法であって、
前記コピー防止信号があるビデオラインの位置と、前記疑似同期及びＡＧＣパルスコピー防止信号の位置と、前記ディジタルビデオ信号の前記ビデオライン中の前記カラーバースト信号の直流レベルを異ならせて分割したクロマコピー防止信号とを示す信号をディジタル的に発生する段階と、
ディジタル・アナログ変換後に満足できるビデオ記録を可能とするように、少なくともいくつかの前記ビデオライン中の前記疑似同期及びＡＧＣパルスコピー防止信号と前記カラーバースト信号の直流レベルを異ならせて分割したクロマコピー防止信号の一部をディジタル的に変更する段階とを有する方法。
【請求項２９】
前記カラーバースト信号の直流レベルを異ならせて分割したクロマコピー防止信号は前記バーストの一部が位相エラーを含む変更されたカラーストライプバーストを与え、前記方法は、
前記ディジタル・アナログ変換後に満足できるビデオ記録を可能とするように、前記カラーバースト信号の直流レベルを異ならせて分割したクロマコピー防止信号の一部をディジタル的に変更するか、または正しい位相のカラーバーストで置換する段階を含む、請求項２８に記載の方法。
【請求項３０】
前記疑似同期及びＡＧＣパルスコピー防止信号の置換として所望される状態を表す１つ以上のディジタル置換数をディジタル的に供給する段階と、
前記ディジタル置換数で前記疑似同期及びＡＧＣパルスコピー防止信号をディジタル的に置換する段階とをさらに有する、請求項２８に記載の方法。
【請求項３１】
前記コピー防止信号は前記カラーバースト信号の直流レベルを異ならせて分割したクロマコピー防止信号と結合した所定のバックポーチ期間中にＡＧＣパルスを有し、
前記ディジタル的に変更する段階は、ディジタル・アナログ変換後に前記カラーバースト信号の直流レベルを異ならせて分割したクロマコピー防止信号とバックポーチ期間中の前記ＡＧＣパルスの効果をディジタル的に除去または減少させる段階を含む、請求項２８に記載の方法。
【請求項３２】
カラーストライプバーストコピー防止信号の効果をディジタル的に除去または減少させる方法であって、前記カラーストライプバーストコピー防止信号はサブキャリア周波数の位相が正しくない部分を有するカラーストライプバーストの変更を有し、前記方法は、
ディジタル・アナログ変換後に満足できるビデオ記録を可能とするように、ビデオライン中の前記ディジタルビデオ信号のサブキャリア周波数の位相が正しくない前記カラーストライプバーストの部分の変更をディジタル的に変更する段階を有する方法。
【請求項３３】
ディジタルビデオ信号をディジタル的に変更する方法であって、前記ディジタルビデオ信号は１組の数で表されるコピー防止信号を含み、
前記コピー防止信号の効果を除去または減少させる１つ以上の所定の数の組で置換する段階を有する、請求項２８に記載の方法。
【請求項３４】
前記ディジタルビデオ信号はアナログビデオ信号に変換され、前記アナログビデオ信号のアナログコピー防止信号は除去または減少させる、請求項３３に記載の方法。
【請求項３５】
ディジタルビデオ信号中のカラーバースト信号の直流レベルを異ならせて分割したクロマコピー防止信号の存在をディジタル的に検出する方法であって、前記カラーバースト信号の直流レベルを異ならせて分割したクロマコピー防止信号はカラーストライプ処理でのカラーストライプバーストにおける変更を含む方法であり、
カラーストライプバーストにおける変更を有するディジタルビデオ信号をディジタル位相検出器に供給して前記カラーストライプバーストにおける変更の存在を検出する段階を有する方法。
【請求項３６】
ディジタルビデオ信号中のカラーバースト信号の直流レベルを異ならせて分割したクロマコピー防止信号の存在をディジタル的に検出する装置であって、前記カラーバースト信号の直流レベルを異ならせて分割したクロマコピー防止信号はカラーストライプ処理における変更を含み、
カラーストライプ処理における変更を有する前記ディジタルビデオ信号を受信する、前記カラーストライプ処理における変更の存在を検出し前記カラーストライプ処理における変更の存在を示す信号を発生して前記カラーバースト信号の直流レベルを異ならせて分割したクロマコピー防止信号を検出するディジタル位相検出器を有する装置。
【発明の詳細な説明】
【技術分野】
本発明はビデオ信号を処理する方法及び装置に関し、更に特定的にはビデオ信号からコピー防止信号の影響を除去（抑制）する方法に関する。
【背景技術】
関連出願
本願は１９９５年１０月１７日に出願された米国仮特許出願第６０／００５，６８１号に関連する。
従来技術の説明
１９８６年１２月２３日に交付された「ＭＥＴＨＯＤ  ＡＮＤ  ＡＰＰＡＲＡＴＵＳ  ＦＯＲ  ＰＲＯＣＥＳＳＩＮＧ  Ａ  ＶＩＤＥＯ  ＳＩＧＮＡＬ  ＳＯ  ＡＳ  ＴＯ  ＰＲＯＨＩＢＩＴ  ＴＨＥ  ＭＡＫＩＮＧ  ＯＦ  ＡＣＣＥＰＴＡＢＬＥ  ＶＩＤＥＯ  ＴＡＰＥ  ＲＥＣＯＲＤＩＮＧＳ  ＴＨＥＲＥＯＦ」なる名称のＲｙａｎによる米国特許第４，６３１，６０３号（’６０３号）は、テレビ受像機が変更されたビデオ信号から通常のカラー画像を供給すると同時に、変更されたビデオ信号をビデオテープによって記録することにより満足できない画像を生成するよう変更されるビデオ信号を記載し、参照文献として組み込まれる。
上記発明は、典型的なビデオカセットレコーダの自動利得制御システムは従来のビデオ信号の通常同期パルス（等化パルス又はブロードパルスを含む）と加算された疑似同期パルスとを区別することができないことによる。ここでは疑似同期パルスは通常の同期チップレベルまで延び、少なくとも０．５マイクロ秒の期間を有するパルスとして定義される。複数のそのような疑似同期パルスは垂直帰線消去間隔に亘って従来のビデオに追加され、そのような疑似同期パルスの夫々の後には適当な振幅及び期間を有する正のパルスが続く。結果として、ビデオテープレコーダ内の自動利得制御システムはビデオ信号の不適当な記録を引き起こすビデオレベルの誤った測定を行う。この結果、再生中に満足できない画質が生ずる。このアプローチは、典型的なテレビ受像機では通常は黒レベルの回復に使用されない時間に生ずる正の継続中のパルスを使用し、従ってそのような典型的なテレビ装置では黒レベルの降下が生じない。
１９８９年４月４日に交付された「ＭＥＴＨＯＤ  ＡＮＤ  ＡＰＰＡＲＡＴＵＳ  ＦＯＲ  ＣＬＵＳＴＥＲＩＮＧ  ＭＯＤＩＦＩＣＡＴＩＯＮＳ  ＭＡＤＥ  ＴＯ  Ａ  ＶＩＤＥＯ  ＳＩＧＮＡＬ  ＴＯ  ＩＮＨＩＢＩＴ  ＴＨＥ  ＭＡＫＩＮＧ  ＯＦ  ＡＣＣＥＰＴＡＢＬＥ  ＶＩＤＥＯＴＡＰＥ  ＲＥＣＯＲＤＩＮＧ」なる名称のＲｙａｎによる米国特許第４，８１９，０９８号（’０９８号）は、受像機は変更された信号から通常の画像を生成し、一方この信号のビデオテープ記録は概して許容されない画像を生成するようなテレビモニタの変更を記載し、参考文献として組み込まれる。ビデオテープレコーダは、ビデオ信号中の同期レベルを測定し、ビデオレベルが一定の所定値でビデオテープ記録システム内のＦＭ変調器に対して与えられたままであるよう利得修正値を生成する自動利得制御回路を有する。複数の正のパルスは、夫々が通常に発生する同期パルスの夫々のトレーリングエッジに続いてビデオ信号に付加される。これらの付加されたパルスは、信号によって定義される画像の可視性に対する影響を最小化し、一方レコーダ内の自動レベル制御回路がその実際の値の数倍のビデオレベルを評価するよう、各フィールドの垂直帰線消去間隔においてクラスタ化される。同期パルス自体はまた、処理の有効性を高めるよう減少されたレベルにあってもよい。
１９９０年１０月２日に交付された「ＭＥＴＨＯＤ  ＡＮＤ  ＡＰＰＡＲＡＴＵＳ  ＦＯＲ  ＲＥＭＯＶＩＮＧ  ＰＳＥＵＤＯ−ＳＹＮＣ  ＡＮＤ／ＯＲ  ＡＮ  ＡＧＣ  ＰＵＬＳＥＳ  ＦＲＯＭ  Ａ  ＶＩＤＥＯ  ＳＩＧＮＡＬ」なる名称のＲｙａｎによる米国特許第４，６９５，９０１号（’９０１号）は、その満足できるビデオ記録を可能にするよう，ビデオ信号に付加された疑似同期パルス及びＡＧＣパルスを除去する方法を記載し、ここに参照文献として組み込まれる。従来は、ビデオテープレコーダの自動利得制御は誤った記録レベルを感知し、一方従来のテレビ受像機はビデオ信号に対する上記の変更によって影響を受けなかったため、付加された信号はビデオ信号の満足できるビデオ記録を妨げた。付加されたパルスの除去は、以前に変更されたビデオ信号の満足できるビデオ記録を可能にする。ビデオ信号から選択された負の値の成分（即ち疑似同期パルス）を除去するよう選択的に動作可能なクリッピング回路が使用され、一方付加されたＡＧＣパルスは電気的に作動されるスイッチによってビデオ信号から効果的に帰線消去される。帰線消去及びクリッピング機能の両方は、ビデオ信号の通常同期パルス及び付加された疑似同期パルスの両方を感知することによって選択的に達成される。疑似同期パルスのみ、ＡＧＣパルスのみ、又はそれらの組み合わせのいずれかによってビデオ信号を「きれいにする」方法及び装置が開示される。
１９９２年１月２１日に交付された「ＣＯＤＥ  ＳＩＧＮＡＬ  ＢＬＡＮＫＩＮＧ  ＡＰＰＡＲＡＴＵＳ」なる名称のＯｋａｄａ他による米国特許第４，３３６，５５４号（’５５４号）は、テレビジョン信号の垂直帰線消去期間の所与の期間に亘って動作可能な切換手段と、切換回路が動作可能であるときに上記の所与の期間に亘って基準レベルの出力を発生する基準レベル設定手段とからなるコード信号帰線消去装置を記載する。コード信号は、テレビジョン信号のビデオ信号レベルをテレビジョン信号の垂直帰線消去期間に維持することによって帰線消去される。
１９９３年３月１６日に交付された「ＭＥＴＨＯＤ  ＡＮＤ  ＡＰＰＡＲＡＴＵＳ  ＦＯＲ  ＤＩＳＡＢＬＩＮＧ  ＡＮＴＩ−ＣＯＰＹ  ＰＲＯＴＥＣＴＩＯＮ  ＳＹＳＴＥＭ  ＩＮ  ＶＩＤＥＯ  ＳＩＧＮＡＬＳ」なる名称のＱｕａｎ他による米国特許第５，１９４，９６５号（’９６５号）は、テレビジョン及びＶＣＲ回路の特性の相違に基づく記録ビデオ信号中に配置されるコピー防止信号の効果を不可にする方法及び装置を記載し、ここに参照文献として組み込まれる。コピー防止信号は、ビデオ信号の帰線消去間隔の中に疑似同期パルス及び／又は付加されたＡＧＣパルスを含む。記載される特定的な方法は、ＶＣＲによる認可されない複製を防ぐためにコピー防止信号を無効にさせるよう、例えばレベルシフトによって垂直帰線消去間隔に亘ってビデオ信号のレベルを変えることを含む。この方法を達成するための回路は、垂直帰線消去間隔を検出する同期セパレータと、間隔に亘って所定の幅のパルスを発生するパルス発生回路と、コピー防止信号を有する所定のパルスを加算し、よってそれらのレベルをシフトする加算回路とを含む。他の方法は、ＶＣＲ回路内で減衰及び／又は低域通過フィルタリングを達成し、よって複製を防止する際に信号を無効にさせるよう、垂直帰線消去間隔に亘ってコピー防止信号の有効周波数を増加させることを含む。この方法を達成する回路は、疑似同期及び／又はＡＧＣパルスの高周波内容を効果的に増加させるパルス幅減少回路及び／又はパルス増倍回路を含む。
１９９２年１０月２０日に交付された「ＭＥＴＨＯＤ  ＡＮＤ  ＡＰＰＡＲＡＴＵＳ  ＦＯＲ  ＤＩＳＡＢＬＩＮＧ  ＡＮＴＩ−ＣＯＰＹ  ＰＲＯＴＥＣＴＩＯＮ  ＳＹＳＴＥＭ  ＩＮ  ＶＩＤＥＯ  ＳＩＧＮＡＬＳ  ＵＳＩＮＧ  ＰＵＬＳＥ  ＮＡＲＲＯＷＩＮＧ」なる名称のＱｕａｎ他による米国特許第５，１５７，５１０号（’５１０号）は、テレビジョン及びＶＣＲ回路の特性の相違を使用してビデオ信号に加えられるコピー防止信号の効果を不可にする方法及び装置を記載し、ここに参照文献として組み込まれる。記載されるコピー防止信号は、ビデオ信号の垂直帰線消去間隔の中に疑似同期パルス及び／又は付加されたＡＧＣパルスを含む。記載される特定的な方法は、ＶＣＲ回路内の減衰及び／又は低域通過フィルタリングを達成し、よって信号を複製防止の際に無効にさせるよう、垂直帰線消去間隔に亘ってコピー防止信号の有効周波数を増加させることを含む。この方法を達成する回路は、疑似同期及び／又はＡＧＣパルスの高周波内容を効果的に増加させるパルス幅減少回路及び／又はパルス増倍回路からなる。
１９９５年５月２日に出願された「ＶＩＤＥＯ  ＣＯＰＹ  ＰＲＯＴＥＣＴＩＯＮ  ＰＲＯＣＥＳＳ  ＥＮＨＡＮＣＥＭＥＮＴ  ＡＮＤ  ＶＥＲＴＩＣＡＬ  ＰＩＣＴＵＲＥ  ＤＩＳＴＯＲＴＩＯＮＳ」なる名称のＱｕａｎによる米国特許出願第０８／４３３，２８３号（’２８３号）は、参照文献として組み込まれ、レコーダ内の同期パルス検出システムが通常同期パルスのみを検出するよう疑似同期パルスの相対振幅を通常のパルスに変更することによって、’６０３号特許によって発生される信号の影響を抑制し、従って上記コピー防止信号の通常の記録を可能にすることが開示される。
１９９５年５月５日に出願された「ＶＩＤＥＯ  ＣＯＰＹ  ＰＲＯＴＥＣＴＩＯＮ  ＰＲＯＣＥＳＳ  ＥＮＨＡＮＣＥＭＥＮＴ  ＡＮＤ  ＶＥＲＴＩＣＡＬ  ＰＩＣＴＵＲＥ  ＤＩＳＴＯＲＴＩＯＮＳ」なる名称のＱｕａｎによる米国特許出願第０８／４３５，５７５号（’５７５号）は、参照文献として組み込まれ、上記コピー防止信号の通常の記録を可能にするよう、’６０３号特許によって発生された信号の影響の様々な抑制機構を開示する。
「Ｍｅｔｈｏｄ  ａｎｄ  Ａｐｐａｒａｔｕｓ  ｆｏｒ  Ｐｒｅｖｅｎｔｉｎｇ  Ｔｈｅ  Ｃｏｐｙｉｎｇ  ｏｆ  ａ  ＶｉｄｅｏＰｒｏｇｒａｍ」なる名称の米国特許第４，９０７，０９３号（’０９３号）は、参照文献として組み込まれ、’６０３号特許に記載される順序付けられた疑似同期パルス及び白色パルスの対を検出し、ビデオカセットレコーダの記録機能を不可にする方法及び装置が開示される。’０９３号特許は幾つかの検出方法を開示する。
１９８６年３月１８日に交付された「Ｍｅｔｈｏｄ  ａｎｄ  Ａｐｐａｒａｔｕｓ  Ｆｏｒ  Ｐｒｏｃｅｓｓｉｎｇ  ａ  Ｖｉｄｅｏ  Ｓｉｇｎａｌ」なる名称のＪｏｈｎ  Ｏ．Ｒｙａｎによる米国特許第４，５７７，２１６号は、参照文献として組み込まれ、満足できるビデオ記録を行うことを禁止するためにカラービデオ信号を変更することを開示する。従来のテレビ受像機は変更された信号から通常のカラー画像を生成する。しかしながら、続くビデオテープ記録からの結果としてのカラー画像は、色誤りの帯域又はストライプとして現れる色忠実度の多様性を表わす。一般的に変更は「カラーストライプシステム」又は「カラーストライプ処理」と称される。この特許の教示の商業的な実施は典型的に、フィールド当たりの誘導された色誤り又はカラーストライプを有するビデオラインの数を制限する。
（ＮＴＳＣ方式及びＰＡＬテレビ方式の両方における）カラービデオ信号はカラーバーストと称されるものを含む。カラーストライプシステムはカラーバーストを変更する。テレビ送信機における色副搬送波信号の禁止は、カラーテレビ受像機が（ＮＴＳＣ方式では）、色副搬送波信号を再挿入し、色信号を元の形状に復元するために復調中に使用される３．５８ＭＨｚ発振器を含むことが要求される。この再挿入された副搬送波信号の周波数及び位相の両方は、カラー再生のために非常に重要である。従って、カラーテレビ受像機のローカル３．５８ＭＨｚ発振器を、その周波数及び位相が送信機における副搬送波信号と調和するよう同期させることが必要である。
この同期は、水平帰線消去パルスの後方ポーチ間隔に亘って送信機の３．５８ＭＨｚ副搬送波信号の小さなサンプルを送信することによって達成される。水平同期パルス、前方ポーチ及び帰線消去間隔期間は、白黒テレビジョンのものと実質的に同じである。しかしながら、カラーテレビ伝送（放送及びケーブルの両方）の間、カラー同期信号として使用されるべき３．５８ＭＨｚ副搬送波の８乃至１０のサイクルは後方ポーチに畳重される。このカラー同期信号は、「カラーバースト」又は「バースト」と称される。カラーバーストのピーク・ツー・ピーク振幅（示されるようにＮＴＳＣテレビ方式では４０ＩＲＥ）は水平同期パルスの振幅と同じである。
カラーストライプ処理の１つの商業的な実施例では、カラーバースト位相（ストライプ）変更は、垂直帰線消去間隔に亘ってはカラーバースト信号を有するビデオラインの中には現れない。これらのラインはＮＴＳＣ信号ではライン１０乃至２１であり、ＰＡＬ信号では対応するラインである。カラーストライプ変更は、可視のテレビフィールドの４又は５本のビデオラインの中で生じ、それに続いてカラーストライプ変調を伴わない８乃至１０本のビデオ線の帯域が存在する。帯域の位置はフィールド対フィールドで固定される（「静止」）。このカラーストライプ処理は、特に、ここに参照文献として組み込まれるＪｏｈｎ  Ｏ．Ｒｙａｎによる米国特許第４，６３１，６０３号の教示と組み合わされるとき、ケーブルテレビに対してかなり有効であることが分かっている。
ＮＴＳＣテレビ方式では、カラーバーストの開始は、カラーバースト振幅の５０％以上である副搬送波（カラーバースト）の最初の半分のサイクルに先行する零交叉（正又は負の傾斜）によって定義される。カラーストライプ処理はその公称の（正しい）位置に関してカラーバーストサイクルの位相をシフトさせることが理解されるべきである。
更に、カラーストライプ処理における位相シフトの量は例えば２０°乃至１８０°に変化し；即ち、位相がより大きくシフトするほど色シフトに関する可視効果は大きくなる。ＰＡＬテレビ方式のカラーストライプ処理では、効果的であるよう多少大きめの（例えば４０°乃至１８０°）位相シフトが使用される。
商標Ｃｏｌｏｒｓｔｒｉｐｅの他の変形は、以下の仮特許出願：Ｗｉｌｌｉａｍ  Ｊ．Ｗｒｏｂｌｅｓｋｉによる「ＡＮ  ＩＭＰＲＯＶＥＤ  ＭＥＴＨＯＤ  ＡＮＤ  ＡＰＰＡＲＡＴＵＳ  ＦＯＲ  ＭＯＤＩＦＹＩＮＧ  ＴＨＥ  ＣＯＬＯＲ  ＢＵＲＳＴ  ＴＯ  ＰＲＯＨＩＢＩＴ  ＶＩＤＥＯ  ＴＡＰＥ  ＲＥＣＯＲＤＩＮＧ」なる名称の第６０／０１００１５号と、Ｗｉｌｌｉａｍ  Ｊ．Ｗｒｏｂｌｅｓｋｉによる「ＡＮ  ＡＤＶＡＮＣＥＤ  ＣＯＬＯＲ  ＢＵＲＳＴ  ＭＥＴＨＯＤ  ＡＮＤ  ＡＰＰＡＲＡＴＵＳ  ＦＯＲ  ＭＯＤＩＦＹＩＮＧ  ＴＨＥ  ＣＯＬＯＲ  ＢＵＲＳＴ  ＴＯ  ＰＲＯＨＩＢＩＴ  ＶＩＤＥＯＴＡＰＥ  ＲＥＣＯＲＤＩＮＧ」なる名称の第６０／０１０７７９号と、Ｗｉｌｌｉａｍ  Ｊ．Ｗｒｏｂｌｅｓｋｉによる「Ａ  ＭＥＴＨＯＤ  ＡＮＤ  ＳＹＳＴＥＭ  ＯＦＣＯＰＹ  ＰＲＯＴＥＣＴＩＯＮ  ＵＳＩＮＧ  ＡＮ  ＡＤＶＡＮＣＥＤ  ＡＮＤ  ＳＰＬＩＴ  ＣＯＬＯＲ  ＢＵＲＳＴ」なる名称の第６０／０１４２４６号とに記載される。
’２１６号特許及び他の特許のカラーバースト変更の効果を抑制する方法及び装置は、「Ｍｅｔｈｏｄ  ａｎｄ  Ａｐｐａｒａｔｕｓ  ｆｏｒ  Ｒｅｍｏｖｉｎｇ  Ｐｈａｓｅ  Ｍｏｄｕｌａｔｉｏｎ  Ｆｒｏｍ  ｔｈｅ  Ｃｏｌｏｒ  Ｂｕｒｓｔ」なる名称の米国特許第４，６２６，８９０号（参照文献として組み込まれる）に記載される。カラーストライプ信号を検出する方法及び装置と、更なる抑制方法及び装置とは、１９９５年５月９日に出願されたＲｏｎａｌｄ  Ｑｕａｎ及びＪｏｈｎ  Ｏ．Ｒｙａｎによる「ＭＥＴＨＯＤ  ＡＮＤ  ＡＰＰＡＲＡＴＵＳ  ＦＯＲ  ＤＥＦＥＡＴＩＮＧ  ＥＦＦＥＣＴＳ  ＯＦ  ＣＯＬＯＲ  ＢＵＲＳＴ  ＭＯＤＩＦＩＣＡＴＩＯＮＳ  ＴＯ  Ａ  ＶＩＤＥＯ  ＳＩＧＮＡＬ」なる名称の米国特許出願第０８／４３８，１５５号に記載される。米国特許出願第６０／０１００１５号、第６０／００１０７７９号、第６０／０１４２４６号及び第０８／４３８，１５５号（’１５５号）は参照文献として組み入れられる。
１９８６年１２月２日に交付された「Ｍｅｔｈｏｄ  ａｎｄ  Ａｐｐａｒａｔｕｓ  Ｆｏｒ  Ｒｅｍｏｖｉｎｇ  Ｐｈａｓｅ  Ｍｏｄｕｌａｔｉｏｎ  Ｆｒｏｍ  ｔｈｅ  Ｃｏｌｏｒ  Ｂｕｒｓｔ」なる名称のＪｏｈｎ  Ｏ．Ｒｙａｎによる米国特許第４，６２６，８９０号は、参照文献として組み込まれ、米国特許第４，５７７，２１６号の位相変調を除去することを開示する。この除去は、米国特許第４，５７７，２１６号に開示された記録のための処理の効果の多くを除去することに有用である。
Ｑｕａｎ他による’１５５出願は、ビデオ信号の記録を防ぐためのカラーストライプ処理を記載し、アクティブなビデオの各ライン上に存在するカラーバーストは、ビデオ信号の続くビデオテープ記録が色誤りの望ましくない帯域又はストライプとして現れる色忠実度の変化を示すよう修正される。このカラーストライプ処理はまず、前実験又はライン上の検出のいずれかによって、カラーストライプ処理を含むビデオラインの位置を決定することによって抑制される。次に、変更されたカラーバーストを含むラインの少なくとも一部分は全体のビデオ信号を記録可能にさせるよう変更される。変更は、カラーストライプバーストを正しい位相へ位相シフトすること、カラーストライプバースト又は特定のカラーストライプバーストの一部分を有効でなくなるよう置換すること、及び存在する位相エラーの殆ど又は全てを除去するようカラーストライプバーストと正しい位相のカラーストライプ信号とを混合することを含む、多数の方法で達成される。他の変形では、変更されたカラーバーストは、変更されたカラーバーストがＶＣＲによって検出されず、従って影響を与えないよう、変更されたカラーバーストの直前の水平同期パルス信号を変更することによって抑制される。
参照された特許に記載される全ての抑制方法はアナログ技術を使用する。ディジタル技術の使用が増大したことにより、上述の技術のディジタル式の実施が必要である。
【発明の概要】
【発明が解決しようとする課題】
今日の環境におけるビデオ信号はアナログ領域及びディジタル領域の両方に存在する。多くの場合、信号がディジタル領域にある間は、’６０３号、’０９８号及び’２１６号特許に記載されるようなアナログコピー防止信号を含むビデオ信号の影響を除去又は減少させることが望ましい。ビデオ侵害者は、アナログ信号をディジタル領域に変換し、ディジタル領域に抑制機構を設けることによって上記において参照された１つ以上のアナログ抑制機構の侵害を避けようと試みる。
【課題を解決するための手段】
本出願人は、特にディジタル技術を使用し、信号がディジタル領域にある間にアナログコピー防止信号の影響を抑制することによって、上述のアナログ抑制機構の教示を改善することが可能であると考えた。これらの改善は、’６０３号及び’０９８号特許によって発生される信号（レコーダのＡＧＣシステムに影響を与える疑似同期及びＡＧＣパルス）を抑制することを含む。更にディジタル技術は、’２１６号特許に開示される信号、及び’０１５号、’７７９号、’２４６号仮出願に記載される商標Ｃｏｌｏｒｓｔｒｉｐｅ処理の変形の影響を減少又は除去するために使用されうる。
ディジタルビデオコピー防止除去装置は、ディジタル領域中の略全ての疑似同期パルス及び／又はＡＧＣパルスの除去を可能にする。疑似同期パルス及び／又はＡＧＣパルスの位置は、信号がディジタル領域内にあるときに決定される。少なくとも一部の疑似同期パルス及び／又はＡＧＣパルスの上記の既知の画素位置は、（望ましくは固定された）数をディジタル多重へとディジタル式に多重化するため、又は疑似同期パルス及び／又はＡＧＣパルスを効果的に除去するよう入力するために使用される。ディジタル処理はルミナンス／クロミナンスセパレータを含み、ルミネセンス及び／又はクロミナンスのいずれかは疑似同期及び／又はＡＧＣパルスのテレビライン画素位置を見つけるために使用されうる。例えば、ルミナンス部分は、コピー防止信号が存在する垂直帰線消去領域の中のラインを数えるために開始点として垂直同期を含みうる。また、クロミナンス信号は、垂直帰線消去領域（間隔）の中にコピー防止信号の位置を見つけるよう各垂直帰線消去間隔中で開始するディジタルカラーバーストを有しうる。これらのコピー防止パルスの効果的な除去はディジタル複合信号又は単にルミナンス信号（Ｙ）に対して行われうる。
コピー防止パルスの位置が見つかると、「回路ＡＣＰ」を通じてディジタル領域内におけるコピー防止パルスを効果的に除去する「包括的な」方法が行われる。「回路ＡＣＰ」は疑似同期ＡＧＣパルス画素位置回路によって制御され、ディジタル処理の直前、又はディジタル処理ブロックの中に存在しうる。
この「回路ＡＣＰ」は：ａ）Ｒｙａｎによる第４，６９５，９０１号（’９０１号）、Ｑｕａｎ他による第５，１９４，９６５号（’９６５号）及び第５，１５７，５１０号（第’５１０号）（上記全ては参照文献として組み込まれる）に記載されるレベルシフト及び／又はパルス幅減少及び／又はパルス減衰；ｂ）通常の複合同期置換；ｃ）同期セパレータが疑似同期パルスを検出しないよう疑似同期よりも大きい振幅の通常の複合同期の大きさを増加させ（上記において開示され参照文献として組み込まれる’９６５号特許及び’２８３号に開示される）；ｄ）記録可能な複製が可能であるよう疑似ＡＧＣ位置の少なくとも一部分を信号によって置換することによって（即ちフラットフィールド）、ディジタル領域内のコピー防止を効果的に除去する。
「回路ＡＣＰ」の中で使用されうる幾つかの異なる回路が説明される。他の「回路ＡＣＰ」変形はコピー防止ビデオのＡＧＣ及び疑似同期パルスを感知することによって論理を高くする回路であり得る。次にタイミング発生器を使用してＡＧＣ及び疑似同期パルスよりも短い持続期間のパルスを出力し、これは次にビデオのＡＧＣパルス及び疑似同期パルスの幅を減少するために使用される。もちろんコピー防止パルスは幅減少、減衰、レベルシフト及び／又は変更（即ち置換）の組み合わせであり得る。
この方法（及び装置）は、コンピュータデスクトップビデオ、ディジタルビデオテープ記録、ディジタルビデオ効果等といったディジタルプロセッサに適用可能である。
ディジタル方法はまた、効果的に「カラーストライプ」（バースト位相変調）保護処理及び／又はディジタル領域内の強調されたビデオコピー防止信号を除去又は修正することに対して適用されうる。
ディジタル信号はビデオ信号の相対８ビットレベルによって定義される。例えば、同期チップは０に、ピーク白色はレベル２５５に定義される。カラーバーストはレベル３６乃至１０９であり、帰線消去レベルは７３である。上述の「カラーストライプ」信号は満足できる記録が行われることを可能にするよう、位相シフトされたカラーバーストのうちの十分なだけ修正される必要がある。例えば位相シフトが１８０度に設定されれば、カラーバーストレベル数をレベル７３（帰線消去レベル）に対する鏡像である新しい数へマップするためにＥＰＲＯＭ（消去可能なプログラム可能メモリ）が使用される。例えばビデオ源からのバーストレベルがレベル１０９であれば、ＥＰＲＯＭの出力はレベル３６となる。
コピー防止信号の影響をディジタル式に除去又は抑制する方法及び装置は、コピー防止信号が存在する全てのラインよりは少ないが、満足できるビデオ記録が行われうるのに充分なだけのラインを変更することを含む。また抑制は、記録可能な複製のためにＡＧＣパルス、疑似同期パルス及び／又はクロマコピー防止信号（即ちカラーストライプ）の充分な部分を変更することを含みうる。
【図面の簡単な説明】
添付の図面を参照するに、
図１Ａは、’６０３号特許に記載される疑似同期パルス及びＡＧＣパルスを含むコピー防止信号を示す図であり、
図１Ｂは、’０９８号特許に記載されるコピー防止信号を示す図であり、
図２はディジタル領域内のビデオ信号の信号路を示す図であり、
図３は本発明の第１の実施例のブロック図を示す図であり、
図４は本発明の第２の実施例のブロック図を示す図であり、
図５は組合せアナログ及び／又はディジタル回路を示す図であり、
図６はビデオ信号の相対８ビットレベルを示す図であり、
図７は８ビットディジタル位相反転器を示す図であり、
図８はディジタル同期セパレータ回路を示す図であり、
図９はディジタルタイミングパルス発生器を示す図であり、
図１０はカラーストライプライン位置の発生及びバーストゲート発生のブロック図を示す図であり、
図１１はカラーストライプの影響を抑制する多重化の実施例を示す図であり、
図１２はディジタルバースト連続発振器を使用することによってカラーストライプの影響を抑制する実施例を示す図であり、
図１３はディジタル位相検出器を使用する実施例を示す図であり、
図１４は位相検出器を使用せずにカラーバーストを検出する実施例を示す図である。
【発明を実施するための態様】
以下、信号がディジタル領域内にある間にアナログコピー防止信号の影響を抑制する多数の実施例を説明する。
疑似同期及びＡＧＣパルスコピー防止信号の影響を減少する、又は疑似同期及びＡＧＣパルスコピー防止信号を除去する方法の説明
上述のように、ビデオ信号中に共通に存在するコピー防止信号には２つの基本的なタイプがある。第１のタイプはビデオ信号のルミナンス部分に信号を含む。以下説明される第２のタイプはビデオ信号のクロミナンス部分にコピー防止を含む。
特に、アナログ抑制機構が説明されたルミナンスコピー防止信号のタイプは、Ｒｙａｎによる’６０３号及び’０９８号に完全に説明されている。図１Ａ及び図１Ｂを参照のこと。これらのコピー防止信号の要素は疑似同期又はＡＧＣパルスを有する規則的な同期パルスのいずれかの組み合わせである。これらの同期及びＡＧＣパルスの対は、レコーダ内のＡＧＣ回路が正しい利得設定を誤って計算し、劣った記録を行うよう設計されている。以下の様々な実施例は、コピー防止信号の影響を減少又は除去させるよう、信号がディジタル領域内にある間にコピー防止信号を変更することを主な目的とする。
上述のように、様々な実施例は、ディジタル領域中にある間にビデオ信号からコピー防止の影響を除去することを目的とする。図２は、アナログ・ディジタル変換器１４を使用してコピー防止信号を含むアナログ信号１２をディジタル信号１６へ変換し、次に上記信号をディジタル領域中において処理すること１８を示す図である。次にディジタル・アナログ変換器２２を使用して上記処理されたディジタル信号２０をアナログ信号へ変換することによって、上記処理されたディジタル信号２０はアナログ領域へ変換されて戻る。以下の実施例は、コピー防止ディジタル信号を含むディジタル装置の出力を使用しうる。簡単化のため、以下の各実施例は、アナログ・ディジタル変換及びディジタル・アナログ変換を含んでも含まなくてもよい。各実施例はビデオ信号がディジタル領域内にあるという前提で動作する。
図３は、本発明の第１の一般的な実施例を示す図である。装置３０はディジタルプロセッサ３４及び疑似同期ＡＧＣパルス位置回路３６に入力されるコピー防止ディジタルビデオ入力信号３２を有する。ディジタル数発生器３８は、コピー防止パルスの置き換えに望ましい条件を表わす所定のディジタル数を発生する。ディジタルプロセッサ３４及びディジタル数発生器３８の出力はディジタルマルチプレクサ４０の第１及び第２の入力にそれぞれ結合される。疑似同期ＡＧＣパルス画素位置発生器３６の出力は、ディジタルマルチプレクサ４０の制御要素としてディジタルマルチプレクサ４０に入力される。結果としてのディジタルビデオ信号４２は、多重制御信号４４によって命令されるように変更又は除去された疑似同期ＡＧＣ信号を有する。
図４は、本発明の第２の一般的な実施例を示す図である。装置５０は、ディジタルプロセッサ５４及び疑似同期ＡＧＣパルス位置回路５６に入力されるコピー防止ディジタルビデオ入力信号５２を有する。ディジタルプロセッサ５４の出力は「回路ＡＣＰ」５８と称される包括回路の第１の入力に結合される。疑似同期ＡＧＣパルス画素位置検出器５６の出力は「回路ＡＣＰ」の第２の入力に結合される。「回路ＡＣＰ」５８の様々な実施例は以下詳述される。結果としてのディジタルビデオ信号６０は、多重制御信号６２及び「回路ＡＣＰ」５８によって命令されるように変更又は除去された疑似同期ＡＧＣ信号を有する。
「回路ＡＣＰ」が実行する様々な機能は以下の：
ａ）Ｒｙａｎによる第４，６９５，９０１号（’９０１号）、Ｑｕａｎ他による第５，１９４，９６５号（’９６５号）及び第５，１５７，５１０号（全て上述において参照され、参照文献として組み込まれる）に記載されるレベルシフト及び／又はパルス幅減少及び／又はパルス減衰；
ｂ）通常の複合同期置換；
ｃ）レコーダ内の同期セパレータが疑似同期パルスを検出しないよう疑似同期よりも大きい振幅の増加された通常の複合同期の大きさ（上述され、参照文献として組み込まれる’９６５号特許及び’２８３号に開示される）；及び
ｄ）記録可能な複製が可能であるよう疑似ＡＧＣ位置の少なくとも一部分を信号によって置換すること（即ちフラットフィールド）である。
図５は、疑似同期パルス及び／又はＡＧＣパルスと一致するパルスを発生するよう、ビデオ入力及び／又はビデオ出力Ｄをサンプリングする［即ち（Ｒｙａｎによる’９０１号に記載されるように同期セパレータ、単安定タイミング回路、論理又はカウンタ及びディジタルライン位置）からなる］組合せアナログ及び／又はディジタル回路を示す図である。この回路の出力は、ディジタル領域のビデオ複製防止処理を効果的に除去するＰ，Ｑ，Ｒ，Ｓの組み合わせである。例えば「Ｑ」はコピー防止付加パルスに関連するビデオラインと一致するパルスでありうる。「Ｑ」は、記録可能なＶＣＲ複製を行う、又はコピー防止を略除去するよう、コピー防止付加パルスをスイッチオフ、減衰、レベルシフト、幅減少するために使用されうる。
カラーストライプコピー防止信号の影響の減少、又は除去についての説明
ディジタル方法は、ディジタル領域中の「カラーストライプ」（バースト位相変調）保護処理及び／又は強調されたビデオコピー防止信号を効果的に除去又は修正するためにも適用されうる。
’１５５号出願において広く説明されたように、まずどのテレビラインがカラーストライプ処理を含むかを決定し、次にコピー防止信号を記録可能にするようカラーストライプ信号を変更することが必要である。
図６は、ディジタル信号がビデオ信号の相対８ビットレベルによるものであることを定義する。例えば、同期チップは０に、ピーク白色はレベル２５５に定義される。カラーバーストはレベル３６乃至１０９であり、帰線消去レベルは７３である。他のビットレートが可能である。８ビット信号は典型的な変形として使用される。「カラーストライプ」信号は上述のように、満足できる記録が行われることを可能にするよう充分な位相シフトされたカラーバーストが修正される必要がある。例えば位相シフトが１８０度に設定されれば、ＥＰＲＯＭ（消去可能なプログラム可能メモリ）は、カラーバーストレベル数をレベル７３（帰線消去レベル）に対する鏡像である新しい数にマップするために使用される。例えばビデオ源からのバーストレベルがレベル１０９であれば、ＥＰＲＯＭの出力はレベル３６となる。
図７は、ディジタル化されたカラーバーストに対して位相シフトを形成する方法を示す図である。例えば位相シフトが１８０度に設定されれば、ＥＰＲＯＭ（消去可能なプログラム可能メモリ），ＥＰ  ＰＨＡＳＥ  ７０は、カラーバーストレベル数をレベル７３（帰線消去レベル）に対する鏡像である新しい数へマップする。例えばディジタルビデオ源７２からのバーストレベルがレベル１０９であれば、ＥＰ  ＰＨＡＳＥの出力はレベル３６となる。
図８はディジタル同期セパレータ回路を示す図である。ディジタルビデオ源（即ち８ビットバス）は、ディジタル８ビット一致比較器（テキサス・インスツルメント社の７４６８６といった回路）Ｕ６８６  ８０の「Ｐ」入力に入力される。Ｑ入力は、１８といった８ビットワードである。Ｕ６８６  ８０の出力は、ディジタルビデオ源がレベル１８よりも大きい場合に高くなる。図８から分かるように、Ｕ６８６  ８０の出力は（疑似同期も含む）複合同期を表わす波形である。
図９は、非常に精密な単安定マルチバイブレータと同等のディジタルタイミングパルス発生器（ＤＴＰＧ）９０回路を示す図である。入来パルス９２は、フリップフロップＳＲＦＦのＱ出力が次にシステムクロック（即ちＮＴＳＣ方式では１４．３１８ＭＨｚといった画素クロック）がＮまで計数するＮカウンタ９６を開始することを可能にする高い出力であるよう、フリップフロップＳＲＦＦの開始入力をトリガするために使用される。ＮカウンタがＮまで計数すると、ＴＣ出力はＳＲＦＦをリセットし、Ｑ出力は低くなり、ＮカウンタをリセットするためにＮカウンタに「Ｎ」を入れる。ＳＲＦＦ９８の出力は、画素（システム）クロック持続期間のＮ倍に等しいパルスである。
図１０は、いかにしてカラーストライプ位置テレビラインがＥＰＲＯＭ２１を通じて発生され、バーストゲートパルスがＤＴＰＧ１２及び１３を通じて発生されるかを示す図である。コピー防止ディジタルビデオは典型的には同期パルスを感知するためディジタル比較器ＤＣＰ１へ入力する８（乃至１０）ビットバスである。ＤＣＰ１の出力は（疑似同期パルスを含む）複合同期である。ＤＣＰ１は、例えば第１の垂直ブロードパルス（ＮＴＳＣ方式ではフィールド１中のライン４及びフィールド２中の２６６の後の半分）といった垂直同期パルスを感知するようカウンタ及び比較器ＣＣＴＧ１に供給される。１９９４年ＡＮＳＩ／ＳＭＰＴＥ規格１７０Ｍの図７を参照のこと。ＣＣＧＴ１では垂直同期ブロードパルスを検知するパルスを計数するよう、画素クロック（即ち幾つかのＮＴＳＣ方式では１４．３１８ＭＨｚ）が使用される。ＣＣＴＧ１の出力は各第１の垂直同期パルスが高いパルスである。これは次にフレームパルス発生器回路ＦＰＧ１に供給される。ＦＰＧ１もまたＤＣＰ１からの複合同期と、それに供給される画素クロックとを有する。ＦＰＧ１は、約６ラインで終了する画素クロックでディジタル単安定マルチバイブレータを開始するようＣＣＧＴ１からの垂直パルスを使用する。ＦＰＧ１内の他のディジタル単安定マルチバイブレータは６ライン単安定マルチバイブレータの終端を約３マイクロ秒に亘ってトリガする。この３マイクロ秒単安定マルチバイブレータはフィールド１のライン１０の水平同期パルスタイミングの間は高く、３マイクロ秒単安定マルチバイブレータはフィールド２のライン２７２の中央の間は高い。ＦＰＧ１は、３マイクロ秒単安定マルチバイブレータ出力とＤＣＰ１からの複合同期とを「ＡＮＤ演算」するために組合せ論理を使用する。フィールド１の間、（ライン１０の同期パルスは論理ｌｏｗであるため）ＦＰＧ１内の「ＡＮＤ」ゲートの出力は低い。フィールド２の間、ＤＣＰ１によって同期分離されたときライン２７２はそのラインの中央では論理ｈｉｇｈであるため、この「ＡＮＤ」ゲートの出力は高い。ＦＰＧ１の出力は偶数フィールドでは高く、奇数フィールドでは低いパルスとなる。
複合同期は、約５０マイクロ秒再トリガ可能でないディジタル単安定マルチバイブレータＤＴＰＧ１１に供給される。ＤＴＰＧ１１の出力は水平レートパルスである。ＤＴＰＧ１１の出力は、カウンタＬＩＮＥＣＮＴ１をリセットするよう、ＦＰＧ１の出力と共にカウンタのクロック入力へ供給される。ＬＩＮＥＣＮＴ１の出力は、ＮＴＳＣ方式では５２５まで、ＰＡＬ方式又はＳＥＣＡＭ方式では６２５まで計数するマルチビットである。ＬＩＮＥＣＮＴ１の出力は、ＥＰＲＯＭ２１のアドレス入力に供給される。ＥＰＲＯＭ２１の出力は、カラーストライプを含む識別されたラインの間は論理ｈｉｇｈがオンであるようプログラムされる。
バーストゲートを発生するために、ＤＣＰ１からの複合同期はディジタル単安定マルチバイブレータ又は遅延回路ＤＴＰＧ１２へ供給される。ＤＴＰＧ１２は、カラーバーストの開始に一致するようトレーリングエッジに対してタイミングを取る。ＤＴＰＧ１２の出力は次に、カラーバーストに一致するパルスを発生するようＤＴＰＧ１３をトリガする。
図１１は、マルチプレクサＭＵＸ１０を通じて、回路ＰＨＡＳＥ１０を通じて修正されたカラーバースト位相（図１３参照）を多重化する方法を示す図である。図１０からのバーストゲート及びストライプライン位置パルスは、ディジタル領域内の修正されたカラーバースト位相を切り換え、結果としてカラーストライプ処理が抑制された記録可能なビデオとなるようＡＮＤ１０を通じて「Ａｎｄ演算」される。
図１２は、ディジタルバースト継続発振器（ＢＣＯ）を使用してカラーストライプを抑制する他の方法を示す図である（フィリップス社デスクトップビデオデータハンドブック（１９９２年）２乃至２６頁を参照のこと）。ディジタルビデオバスはＢＣＯへ入力される。ＢＣＯの出力はマルチプレクサＭＵＸ１１へ入力される。ＭＵＸ１１の制御は、修正されたカラーディジタルバーストを有する全てのバーストを置換するよう、図１０のバーストゲートＢＧでありうる。カラーストライプライン位置パルス及びバーストゲートを使用し、ＭＵＸ１はディジタル領域内の修正されたカラーバーストを有するカラーストライプのカラーバーストのみを置換しうる。いずれの方法でも、記録可能な複製が行われうる。
ディジタル位相検出器に対して使用されうる幾つかの方法がある。第１の方法は、フィリップス・セミコンダクターズ社によって出版されたフィリップス社１９９２年デスクトップビデオデータハンドブックの２乃至１７頁に記載される。
第２の方法は、図１４に示される。Ｍ１（ディジタル乗算器）回路では、ＩＮ１はカラーストライプバーストを含むディジタルビデオの入力であり、ＩＮ２はカラーバーストディジタルバースト継続回路（即ち発振器又はディジタル領域中の修正バースト置換回路）の入力である。Ｍ１の出力はＩＮ１及びＩＮ２の積である。Ｍ１は、テキサス・インスツルメント社７４２８４を使用した回路及び他の集積回路といったディジタル算術乗算器である。Ｍ１の出力は画素レートにおけるＩＮ１及びＩＮ２の積である。アキュムレータＡＣＣ１は、Ｕ３７０の出力を通じて（８副搬送波サイクルまでを示す）３２回までＭ１の出力を加算する。ＡＣＣ１の出力は、ＤＩＶ１を通じて、例えばＭ１の出力の平均となるよう３２で算術的にわり算される。ＤＩＶ１の出力はカラーバースト（カラーストライプ又は通常のバースト）が存在するときに１つのラインに付き１回生ずる数である。カラーストライプを含むラインについては、ＤＩＶ１の出力は通常のカラーバーストを含むラインとは別に検出可能である。
図１３は、加算器を使用することによって、位相検出器を使用せずにカラーストライプバーストを検出する方法の他の実施例を示す図である。基本的に、（修正バースト位相を表わす）バースト継続回路は夫々の水平ラインのバースト信号に加算される。正しいカラーバースト位相のラインでは、加算器（ＡＤＤ１０３）の出力はカラーバーストの振幅の２倍となる。しかしながらカラーストライプバーストを含むラインが存在すれば、加算器ＡＤＤ１０３の出力はカラーバーストの振幅の２倍よりもはるかに小さくなる。ＡＤＤ１０３の出力はＡＮＤゲートＵ３７を通じてＥＰＲＯＭ１０３へゲート制御される。ＥＰＲＯＭ１０３は帰線消去以下のレベルをクリッピングし、帰線消去レベル（＃７３）を減算するようプログラムされる。ＥＰＲＯＭ１０３の出力は数（８サイクルのカラーバーストでは約３２個）を加算するようＡＣＣ１０３に供給される。カラーストライプが存在すれば、ＡＣＣ１０３からの数（水平ライン当たり１つの数）は正しいカラーバーストが存在した場合よりも低くなる。
本開示は例示的であり、制限的ではない。この明細書の全ての議論はＮＴＳＣ方式のフォーマットを参照した。しかしながら、概念はＰＡＬ方式及びＳＥＣＡＭ方式に対して同等に適用される。更なる変更は当業者に対して明らかとなり、添付の請求項の範囲に含まれることが意図される。
【図１Ａ】
0004450434.tif 000002
【図１Ｂ】
0004450434.tif 000003
【図２】
0004450434.tif 000004
【図３】
0004450434.tif 000005
【図４】
0004450434.tif 000006
【図５】
0004450434.tif 000007
【図６】
0004450434.tif 000008
【図７】
0004450434.tif 000009
【図８】
0004450434.tif 000010
【図９】
0004450434.tif 000011
【図１０】
0004450434.tif 000012
【図１１】
0004450434.tif 000013
【図１２】
0004450434.tif 000014
【図１３】
0004450434.tif 000015
【図１４】
0004450434.tif 000016